(57)【要約】      （修正有）【課題】畳製造機械から外した畳表の裁断用多角形刃物の研磨において作業性を改善する。【解決手段】多角刃研磨機１は、刃物取付手段９を載置して回転式研磨部３へ進退自在にスライド可能なスライドベース５と、上記刃物取付手段９は多角形の刃物を載置して固定できる手段と、多角形の刃物を固定した状態で上記刃物取付手段９を所定角度毎に回転させて係止できる手段１１と、上記スライドベース５の上記回転式研磨部３へのスライドのストローク量を調節する手段１４とを有し、上記刃物取付手段９が係止された状態において多角形刃物の一辺を回転式研磨部３の砥石３ａに対して平行状態になるように刃物の位置調整を行える定規手段１９を有する。【選択図】図１
2018202539.tif 000002
【特許請求の範囲】
【請求項１】
多角形の刃物を研磨する研磨機であって、
刃物取付手段を載置して回転式研磨部へ進退自在にスライド可能なスライドベースと、
上記刃物取付手段は多角形の刃物を載置して固定できる手段と、
多角形の刃物を固定した状態で上記刃物取付手段を所定角度毎に回転させて係止できる手段と、
上記スライドベースの上記回転式研磨部へのスライドのストローク量を調節する手段とを有し、
上記刃物取付手段が係止された状態において多角形刃物の一辺を回転式研磨部の砥石に対して平行状態になるように刃物の位置調整を行える定規手段を有することを特徴とする多角刃の研磨機。
【請求項２】
上記定規手段は、スライドベース上方において配置された固定式の定規であって、スライドベースを回転式研磨部を離れる方向へスライドさせた時に多角形の刃物が定規に当接することにより回転式研磨部の砥石に対して平行状態になるように刃物の位置調整を行うことを特徴とする請求項１記載の多角刃の研磨機。
【請求項３】
上記定規手段は、スライドベースのスライド方向と直交する方向にスライド可能な定規手段を有することを特徴とする請求項１または請求項２記載の多角刃の研磨機。
【請求項４】
上記定規手段は、スライドベースのスライド方向と直交する方向にスライド可能な一対の定規手段であって、一対の定規手段で多角形の刃物の対向する一対の刃先を狭持することによって回転式研磨部の砥石に対して平行状態になるように刃物の位置調整を行うことを特徴とする請求項１または請求項３記載の多角刃の研磨機。
【発明の詳細な説明】
【技術分野】
【０００１】
本発明は、多角形刃物を研磨するための多角刃研磨機である。さらに詳しくは例えば畳縫着機や畳裁断機、または畳表裁断機などの畳製造機械に装着されて使用される八角刃等の多角形の刃物を効率よく研磨するための多角刃研磨機に関するものである。
【背景技術】
【０００２】
畳床を寸法通りに裁断しながら畳縁を縫着する平刺工程を行う畳縫着機においては、畳床を裁断する刃物に加えて、畳表を裁断するための八角刃が装着されて使用されていることがよく知られている。特許文献１の図７に図示されているように畳表裁断用刃物は、八角形で全周に刃先が形成されたものであることが開示されている。
【０００３】
また、特許文献２に示すような、回転刈刃を所定の高さの水平位置で載置させる載置台と、該回転刈刃を上からの付勢力を与えながら水平回転自在に保持すべく前記載置台に備えた押圧部材と、研磨ホイールを装着したグラインダーとをそれぞれ基台上に備え、回転刈刃を１刃送りするピッチ送りハンドルを備えて構成した回転刈刃用研磨機であって、前記回転刈刃の刃先のすくい角の研磨と逃げ角の研磨に対応する前記基台上におけるグラインダーの２箇所の装着箇所に各１個ずつグラインダーの支持ピンを備えるとともに、該グラインダー側にこの支持ピンに対応する被支持部材を設けて、研磨の内容に応じて選択した２本の支持ピンのうちの一方の上方からグラインダー側の被支持部材を軸装させて、グラインダーを基台上にねじ等の締結無しで自在に装着できるように構成したことを特徴とする回転刈刃用研磨機が知られてもいる。
【先行技術文献】
【特許文献】
【０００４】
【特許文献１】特開２０１１−９９２１５号公報
【特許文献２】特開２００１−３４７４４２号公報
【発明の開示】
【発明が解決しようとする課題】
【０００５】
特許文献２に開示されている回転刈刃とは、回転刈刃を１刃送りするピッチ送りハンドルを備えて構成と記載されていることから、回転刈刃の１種であるチップソーを研磨するものであり、畳製造機械に使用されている八角刃を研磨するには、特許文献２の図１４に開示されている刃物研ぎ台３０を使用して、人が刃物を手で持って研磨するというものでしかなかった。畳製造機械から外した畳表の裁断用刃物を人が手に持って、八角形のそれぞれの辺を研磨しなければならず、八角形のそれぞれの辺の刃部分を注意して傷めないように、また切れ具合がばらつくことがないように確認しながら一辺づつ研磨する必要があったのである。
【０００６】
しかし、八角刃においてはその周囲が全て刃となっているので、刃物研ぎ台３０上に載置した状態で研磨作業を行うと、研磨の際に刃物に対する力の入れ具合で八角刃が回転しようとする状態となってしまい、刃物研ぎ台３０の上に指で押さえつけるだけではこの回転を抑えきれずに八角刃が回転してしまい、けがにつながる可能性も多かった。また、けがにつながらなくとも、八角刃が上記のように回転してしまうとその一辺の研磨状態が他の辺に比べて悪い状態となってしまい、研磨のやり直し等につながることとなり研磨作業の効率が悪く、さらに研磨をしすぎてしまうこととなり刃物の寿命も短くなってしまうということも発生していた。
そのため、万力などの固定手段を使用して、八角刃を固定して、グラインダーなどで一辺ずつ研磨する作業方法を選択する作業者もおり、正八角形の形状をしている刃物の研磨について、作業改善が望まれていたのである。
【課題を解決するための手段】
【０００７】
上記の課題を解決するために本発明の特徴は、多角形の刃物を研磨する研磨機であって、刃物取付手段を載置して回転式研磨部へ進退自在にスライド可能なスライドベースと、上記刃物取付手段は多角形の刃物を載置して固定できる手段と、多角形の刃物を固定した状態で上記刃物取付手段を所定角度毎に回転させて係止できる手段と、上記スライドベースの上記回転式研磨部へのスライドのストローク量を調節する手段とを有し、上記刃物取付手段が係止された状態において多角形刃物の一辺を回転式研磨部の砥石に対して平行状態になるように刃物の位置調整を行える定規手段を有することを特徴とする。
【０００８】
また、上記定規手段は、スライドベース上方において配置された固定式の定規であって、スライドベースを回転式研磨部を離れる方向へスライドさせた時に多角形の刃物が定規に当接することにより回転式研磨部の砥石に対して平行状態になるように刃物の位置調整を行うことを特徴とする。
【０００９】
また、上記定規手段は、スライドベースのスライド方向と直交する方向にスライド可能な定規手段を有することを特徴とする。
【００１０】
またさらに、上記定規手段は、スライドベースのスライド方向と直交する方向にスライド可能な一対の定規手段であって、一対の定規手段で多角形の刃物の対向する一対の刃先を狭持することによって回転式研磨部の砥石に対して平行状態になるように刃物の位置調整を行うことを特徴とする。
【発明の効果】
【００１１】
本発明によって、刃物取付手段に載置する際に刃物取付手段と多角形の刃物の平行を合わせた状態で刃物を容易にセットできるため、一辺毎の研磨を確実かつ効率的に実施でき、一辺を研磨完了すれば、刃物取付手段の係止を解除して所定角度回転させて次の一辺を研磨するという作業のみで効率的に多角形の刃物の研磨を行うことが可能となる。
【００１２】
そして、研磨する量についても、スライドのストローク量を調整する手段を有しているために、各辺一定の研磨量とすることができ、刃物自体の寿命を長くすることが可能となる。
【００１３】
多角形の刃物を固定した状態で刃物側をスライドさせて平行したり、多角形の刃物を固定した状態で刃物に対して定規部材をスライドさせて刃物取付手段と多角形の刃物の平行を合わせた状態とするために、刃物自体の大きさは種々の任意の大きさの刃物の研磨が可能となる。
【図面の簡単な説明】
【００１４】
【図１】本発明の多角刃研磨機の構成を説明する正面図である。
【図２】本発明の多角刃研磨機の構成を説明する平面図である。
【図３】本発明の多角刃研磨機の構成を説明する側面図である。
【図４】本発明の多角刃研磨機における八角刃の固定方法を説明する図であり、（ａ）は八角刃を刃物取付部に載置した状態であり、（ｂ）が刃物位置決め定規を使用して砥石に対して八角刃の辺が平行になった状態を説明する図である。
【図５】本発明の多角刃研磨機における八角刃の別の実施形態における固定方法を説明する図であり、（ａ）は八角刃を刃物取付部に載置した状態であり、（ｂ）が刃物位置決め定規を使用して砥石に対して八角刃の辺が平行になった状態を説明する図である。
【発明を実施するための最良の形態】
【００１５】
本発明の実施形態について図を示しながら説明する。図１は本発明の多角刃研磨機１の１つの実施形態の構成を説明する正面図であり、図２は平面図、図３は図１の右側方から見た状態の側面図である。本発明は、例えば畳縫着機や畳裁断機、または畳表裁断機などの畳製造機械に装着されて使用される八角刃等の多角形の刃物を効率よく研磨するための多角刃の研磨機である。
【００１６】
多角刃研磨機１は、図に示すようにフレーム体２に回転式研磨部３が取り付けられている。この回転式研磨部３に対して、研磨する刃物を固定して、研磨方向に刃物を移動させるスライド部５から構成されている。４はフレーム体下部に設けられたゴム脚である。
【００１７】
スライド部５は、ベース６上にスライドベース７が回転式研磨部３へ進退自在にスライド可能に設けられ、このスライドベース７をスライドガイド８ａおよびスライドガイド８ｂがそれぞれスライドベース７の図３の左右両端の斜面に沿って押さえつけた状態で固定されており、その結果スライドベース７は上方向へ規制された状態となりスライド自在に構成されている。
【００１８】
さらに、スライド部５のスライドベース７には、研磨する刃物を取り付ける刃物取付部９が設けられている。この刃物取付部９はスライドベースにネジ１０を回転軸として回転自在に取り付けられている。
【００１９】
そしてまた、刃物取付部９は平面視において図２に示すように取り付けた刃物の辺を位置決めするためのＶ字状の係止溝９ａを複数設けてもいる。図２においては、八角刃を研磨する場合の事例としてＶ字状の係止溝９ａは角度４５度毎に８カ所設けた構成を図示している。係止溝９ａを設ける角度を変更した刃物取付部、すなわち角度を６０度毎とすることで六角形の刃物や、それ以外の角度にすることによって他の多角形の刃物に対応することが可能となる。
【００２０】
上記刃物取付部９の係止溝９ａに嵌合する係止片１１ｂを有する係止部１１がレバー１１ａを操作することによって係止溝９ａと係止片１１ｂの嵌合が行われたり解除されたりする構成となっており、係止部１１の図３における左右方向はスライドガイド１２，１２で規制され、上方はレバー１１ａの移動を妨げない穴部を有するガイド板１３で規制されており、スライドガイド１２，１２とガイド板１３で規制された状態で係止部１１がスライド可能に保持されている。
【００２１】
さらに、スライドベース７には、回転式研磨部３に対するスライドのストローク量を調整するためのストローク調整ブロック１４が固定されている。上記した係止部１１とストローク調整ブロック１４の間にバネ１５を配置することにより、係止部１１を刃物取付部９に対して常に付勢した状態となるように構成している。バネ１５はスライドガイド１２，１２とガイド板１３で囲まれて構成される空隙に配置されている。
【００２２】
ストローク調整ブロック１４には、ストローク調整ネジ１６が螺合しており、ストローク調整ネジ１６のネジ部分の長さをストローク調整ブロック１４への螺合量を調整することでスライドベース７のスライド量を調節可能としている。そして、ストローク調整ネジ１６のネジ頭部がストッパー１７に係止されることでスライドベース７の回転式研磨部３に対する移動限界が決定される。１８はストローク調整ネジ１６が回転してストロークが変化してしまわないように固定するための蝶ナットであり、ストローク調整ブロック１４に設けている雌ネジ部分と蝶ナット１８でダブルナットとしての作用効果を奏することでストローク量が変化しないように構成している。
【００２３】
上記の構成とすることで、スライドベース７のストロークを調整し、多角形の刃物のそれぞれ一辺の回転式研磨部３の砥石３ａへの当接を均等にしているのである。
【００２４】
そして、スライドガイド８ａとスライドガイド８ｂに対して刃物位置決め定規１９が固定されている。この刃物位置決め定規１９の定規面１９ａが回転式研磨部３の砥石３ａと平行に設けられている。
【００２５】
図４（ａ）に図示するように、八角刃３０を刃物取付部９に載置する。刃物取付部９の係止溝９ａには係止片１１ｂが嵌合されて回転が固定された状態となっている。その刃物取付部９へ、固定用のスペーサー２０と固定ネジ２１を使用して八角刃３０を載置すると、刃物の辺は回転研磨部３の砥石３ａに平行かどうかはわからない状態であり、通常平行になるように作業者が注意して八角刃３０を載置したとしても実際には平行では無い状態で載置されてしまう。この状態においては固定ネジ２１は締めておらず八角刃３０は自由に回転できる状態となっている。
【００２６】
そこで、スライドベース７の進退のストローク量を調整したストローク調整ネジ１６を持ってスライドベース７を回転式研磨部３から離れる方向へスライドさせる。すると八角刃３０の一辺の一部が回転式研磨部３の砥石３ａと平行になっている刃物位置決め定規１９に当接する。そしてその状態からさらにスライドさせると、図４（ｂ）に示すように、八角刃３０の一辺が刃物位置決め定規１９にぴたりと沿うように回転させられる。八角刃３０の一辺が刃物位置決め定規１９にぴたりと沿った状態で固定ネジ２１を締めて刃物取付部９の４５度毎の回転に八角刃３０のそれぞれの辺が回転式研磨部３の砥石３ａに平行となった状態で固定する。
【００２７】
八角刃３０の辺が砥石３ａに対して平行となった状態で固定できれば、ストローク調整ネジ１６と蝶ナット１８でスライドさせるストローク量を実際に八角刃３０を取り付けた状態で行う。
【００２８】
ストローク量の調整が完了すれば、実際に回転式研磨部３を作動させて八角刃３０の研磨を実施する。一辺を研磨完了すれば、レバー１１ａをスライドさせて、係止溝９ａから係止辺１１ｂを退避させ、刃物取付部９を時計回り方向または反時計回り方向に４５度回転させて八角刃３０の各辺を調整したストローク量で研磨すれば、八角刃３０の刃先の研磨が均一で一定とされた研磨が完了する。刃物位置決め定規１９がスライド方向に位置しているために、任意サイズの八角刃３０の平行を出すことができる。
【００２９】
図１〜図４で図示した実施形態においては、八角刃３０の刃物位置合わせ定規１９は刃物一辺だけを当接させる構成で説明したが、一辺だけの当接にしておくと、固定ネジ２１を締め付ける際に八角刃３０が回転しようとして、刃物位置合わせ定規１９に当接している八角刃３０の一辺が強く押しつけられることで刃先が傷んだりすることが起きる可能性がある。そのため、図５に示すように、回転式研磨部３の砥石３ａに直交する方向にスライド自在なスライド定規２２，２３を設ける構成としても良い。
【００３０】
スライド定規２２とスライド定規２３は向きを対向してフレーム体２に配置されており、定規部２２ａと定規部２３ａは平行であり、かつスライドベース７のスライド方向と直交する。すなわち、回転研磨部３の砥石３ａの研磨面と直交している状態に配置されている。
【００３１】
定規部２２ａ，２３ａにはスライドシャフト２２ｂ，２３ｂがそれぞれ２本ずつ取り付けられ、スライドシャフト２２ｂ，２３ｂのもう一方の端部においては連結部材２２ｃ，２３ｃでスライドシャフト２２ｂ，２３ｂがそれぞれ連結されている。
そして定規部２２ａ，２３ａは固定ネジ２２ｄ，２３ｄによって固定がされる構成としている。
【００３２】
図５（ａ）に図示するように、八角刃３０を刃物取付部９に載置する。刃物取付部９の係止溝９ａには係止片１１ｂが嵌合されて回転が固定された状態となっている。その刃物取付部９へ、固定用のスペーサー２０と固定ネジ２１を使用して八角刃３０を載置すると、刃物の辺は回転研磨部３の砥石３ａに平行かどうかはわからない状態であり、通常平行になるように作業者が注意して八角刃３０を載置したとしても実際には平行では無い状態で載置されてしまう。この状態においては固定ネジ２１は締めておらず八角刃３０は自由に回転できる状態となっている。
【００３３】
そこで、スライド定規２２の定規部２２ａととスライド定規２３の定規部２３ａをスライドさせて、図５（ｂ）のように刃物取付部９が係止辺１１ｂで固定された状態で八角刃３０が回転研磨部３の砥石３ａと平行になるように八角刃３０を回転させる。定規部がスライドする構成であるために任意サイズの八角刃３０の位置決めが可能となる。
【００３４】
八角刃３０が回転研磨部２の砥石３ａと平行になったら固定ネジ２２ｄ，２３ｄで定規部２２ａ，２３ａをそれぞれ固定し、固定ネジ２１で八角刃３０を刃物取付部９に固定する。このように対向する２辺をそれぞれ定規部２２ａ，２３ａで狭持することによって固定するので、刃物位置合わせ定規１９で一辺のみ固定する場合よりも刃先を傷めることを軽減することができる。
【００３５】
もちろんスライド定規２２又はスライド定規２３のみとして使用する実施形態とする構成としてもよいのである。このような構成においても、定規部がスライドする構成であるために任意サイズの八角刃３０の位置決めが可能となる。
【００３６】
さらには、もちろん、このスライド定規２２と刃物位置合わせ定規１９の両方を組み合わせて、八角刃３０の三辺を当接させて位置合わせするような構成とすることも可能である。
【００３７】
また、上記においてスライド定規２２，２３はフレーム体２に固定した構成で説明したが、スライドガイド８ａ，８ｂやフレーム体２に穴を設けて、その穴に嵌合するピンなどの部材をスライド定規２２，２３に設けて位置決めができる着脱構成としたり種々の変更をすることも可能である。また着脱構成でなく、定規として使用する位置と退避位置に旋回や上下昇降することで位置を移動できるような構成とすることでも良い。
【符号の説明】
【００３８】
１  多角刃研磨機
２  フレーム体
３  回転式研磨部
３ａ  砥石
４  ゴム脚
５  スライド部
６  ベース
７  スライドベース
８ａ  スライドガイド
８ｂ  スライドガイド
９    刃物取付部
９ａ  係止溝
１０    ネジ
１１    係止部
１１ａ  レバー
１１ｂ  係止片
１２  スライドガイド
１３  ガイド板
１４  ストローク調整ブロック
１５  バネ
１６  ストローク調整ネジ
１７  ストッパー
１８  蝶ナット
１９  刃物位置合わせ定規
１９ａ  定規面
２０  スペーサー
２１  固定ネジ
２２  スライド定規
２２ａ  定規部
２２ｂ  スライドシャフト
２２ｃ  連結部材
２２ｄ  固定ネジ
２３  スライド定規
２３ａ  定規部
２３ｂ  スライドシャフト
２３ｃ  連結部材
２３ｄ  固定ネジ
３０  八角刃
【図１】
2018202539.tif 000003
【図２】
2018202539.tif 000004
【図３】
2018202539.tif 000005
【図４】
2018202539.tif 000006
【図５】
2018202539.tif 000007